(57)【要約】      （修正有）【課題】壁面にねじ留めする留め金側から、ドア面にねじ留めする受座側へ、チェーンを掛け渡して、ドアを半開角に保持する従来のドアチェーン錠は、ねじとねじ留めする受座は、頭部が露出しており、半開の隙間から差し入れたドライバーで、簡単に取り外すことが可能である。【解決手段】台座ボックスおよび受座ボックスを取り付けるねじの直上に、施錠時には、同ねじの直上を外れない仕組みのカバープレートを配置することにより、上記ボックスの取り外しを防止する。【選択図】図１
2005180154.tif 000002
【特許請求の範囲】
【請求項１】
正面側に、掛け外し口４ａが下側に位置するスライド穴３ａを設け、裏面側を、壁面にねじ８ａ、８ｂ、８ｃ、８ｄ留めする、箱形の台座ボックス１ａ側から、正面側に、掛け外し口４ｄが上側に位置するスライド穴３ｃを設け、裏面側を、ドア面にねじ８ａ、８ｂ、８ｃ、８ｄ留めする、台座ボックス１ａと同じ構成の、箱形の受座ボックス２側へ、チェーンを掛け渡して、ドアを半開角に保持する手段において、仮に、ねじ９ａを取り外して、上記ボックス内部の空間の中を、どのように移動しても、ねじ８ａ、８ｂ、８ｃ、８ｄの直上位置を外れず、さらに、スライド穴からの抜き取りに対しても、スライド穴の縁部か、或いは、フックによってブロックされるように、形状を調整したカバープレート５を、ねじ８ａ、８ｂ、８ｃ、８ｄの直上にねじ９ａ留めする、ドアチェーン錠。
【発明の詳細な説明】
【技術分野】
【０００１】  ドアチェーン錠を構成する台座ボックスと受座ボックスの取り外し防止に関する。
【背景技術】
【０００２】  図１（ｃ）において、従来のドアチェーン錠の一例を示す。壁面にねじ９ｅ留めした留め金１１側から、ドア面にねじ９ｆ留めした受座１２側へ、チェーンを掛け渡して、ドアを半開角に保持する従来の手段は、ねじ９ｅと９ｆは、頭部が露出している無防備状態のため、半開の隙間から差し入れたドライバーで緩めて、留め金或いは受座そのものを取り外すことが簡単に可能である。その結果、外部からの侵入者によって、時には、経済的、精神的に大きな被害を受けることも十分に予想できる。
【特許文献１】  特願２０００３−３８９９４０
【発明の開示】
【発明が解決しようとする課題】
【０００３】  解決しようとする課題は、台座ボックスおよび受座ボックスを留めるねじの直上に、施錠時には同ねじの直上を外れない仕組みのカバープレートをねじ留めすることにより、上記ボックスの取り外しを防止する。
【課題を解決するための手段】
【０００４】  本発明は、正面側に、掛け外し口が下側に位置するスライド穴を設け、裏面側を、壁面にねじ８ａ、８ｂ、８ｃ、８ｄ留めする、箱形の台座ボックス１ａ側から、正面側に、掛け外し口が上側に位置するスライド穴を設け、裏面側を、ドア面にねじ８ａ、８ｂ、８ｃ、８ｄ留めする、台座ボックス１ａと同じ構成の、箱形の受座ボックス２側へ、チェーンを掛け渡して、ドアを半開角に保持する手段において、仮に、ねじ９ａを取り外して、上記ボックス内部の空間の中を、どのように移動しても、ねじ８ａ、８ｂ、８ｃ、８ｄの直上位置を外れず、さらに、スライド穴からの抜き取りに対しても、スライド穴の縁部か、或いは、フックによってブロックされるように、形状を調整したカバープレート５を、ねじ８ａ、８ｂ、８ｃ、８ｄの直上にねじ９ａ留めするものである。
【発明の効果】
【０００５】  本発明のドアチェーン錠は、チェーンを掛け渡して、ドアを半開角に保持する、台座ボックスと受座ボックスは、施錠時、半開の隙間からの操作で取り外すことが防止されるので、防犯効果の一段の向上が図られる。
【発明を実施するための最良の形態】
【０００６】  図１（ａ）と図１（ｂ）において、実施例１で使用する台座ボックス１ａと、実施例２で使用する台座ボックス１ｂと、受座ボックス２は、いずれも同じ構成になっているが、半開時に、外部の者による、フックの掛け外し口からの取り外しを防止するために、スライド穴３ａと３ｃ、或いは、３ｂと３ｃは、掛け外し口が互いに反対側に位置するように、それぞれ配置されている。また、スライド穴３ｃに対して、３ａはフック１個分程度長くなっており、３ｂは同じ長さになっている。なお、チェーンの長さの調整方法については、チェーンは、既に、一般的に使用されており、ここでの説明は省略する。【０００７】  箱形の台座ボックスと受座ボックスは、同じ構成なので、ここでは、受座ボックスの構成例を説明する。図２（ａ）に示すように、正面側にスライド穴を設け、裏面側をドア面にねじ８ａ、８ｂ、８ｃ、８ｄ留めし、その直上に、図２（ｂ）に示すように、カバープレート５をねじ９ａ留めする。カバープレートは、仮に、ねじ９ａを取り外され、ボックス内部の空間の中でどのように移動しても、ねじ８ａ、８ｂ、８ｃ、８ｄの直上位置から１００％外れることは無く、さらに、スライド穴からの抜き取りに対しても、スライド穴の縁部か、或いは、フックにブロックされるように、形状が調整されている。【０００８】  外部の者が、チェーンの掛け渡されている半開の隙間からの操作で、ねじ８ａ、８ｂ、８ｃ、８ｄを緩めて、受座ボックス２の取り外しを企てた場合の防止策について説明する。ねじ８ａ、８ｂ、８ｃ、８ｄを緩めるためには、その前に、ねじ９ａを取り外して、カバープレートを、ねじ８ａ，８ｂ、８ｃ、８ｄの直上位置から１００％外すか、或いは、スライド穴から図２（ｅ）の要領で抜き取る必要がある。操作１として、図２（ｃ）において、カバープレートは、左上５ａか、或いは、右下５ｂに寄せたいずれの設定でも、ねじ８ａ、８ｂ、８ｃ、８ｄの直上は、１００％未満ではあるがカバーしている。操作２として、図２（Ｃ）において、カバープレートを左上５ａに寄せ、フック６ｄを、図示されている中間位置から、ねじ８ｄの直上位置となる、図示されていない最下位置に下げた設定では、カバープレートは、上端側はスライド穴の縁部に、下端側はフックによってブロックされることが分かる。操作３として、図２（ｃ）において、カバープレートを、図示されていない左下に寄せ、フック６ｄを操作２と同じ最下位置に置いた設定では、カバープレートは、上端側はブロックされないが、下端側はスライド穴の縁部とフックによってブロックされることが分かる。操作４として、最初に、フックをスライド穴から取り外し、次に、カバープレートをスライド穴から抜き取る方法では、フックは、閉扉後、室内側から取り外すことになる。以上の４操作の結果では、ねじ８ａ、８ｂ、８ｃ、８ｄを緩めて、受座ボックスを取り外すことは防止される。
【実施例１】
【０００９】  図１（ａ）の台座ボックス１ａは、受座ボックス２とは、構成は同じであるが、スライド穴がフック１個分程度長くなっている。それは、外部の者が、チェーンの掛け渡されている半開の隙間から、ドライバーでねじ９ｄを取り外して、閉扉すると、フック６ａは自重で落下するが、チェーンの届く限度である６ｂの位置で停止し、掛け外し口４ａまでは届かないようにするためである。従って、スライド穴の長さに応じて、カバープレートとねじ８ａ、８ｂ、８ｃ、８ｄの配置領域および箱体も長くなる。
【実施例２】
【００１０】  図１（ｂ）の台座ボックス１ｂは、受座ボックス２とは、サイズ、構成とも同じである。但し、同図のように、スライド穴３ｂを垂直方向に配置した場合、実際に起こり得るかどうかの可能性は別として、次のような問題が考えられる。それは、外部の者が、チェーンの掛け渡されている半開の隙間から、ドライバーでねじ９ｄを取り外して、閉扉すると、チェーンの届く範囲内である、掛け外し口４ｂと丁度重なる位置まで自重で落下するフック６ｃに、何らかの原因で、水平方向への力が作用して、掛け外し口から抜け出るというものである。但し、この問題は、右側の破線図に示すように、スライド穴を水平方向に配置することにより、フックが自重で落下して、掛け外し口４ｃから抜け出るということはなくなる。
【図面の簡単な説明】
【００１１】
【図１】  （ａ）ドアチェーン錠の斜視図。（実施例１）  （ｂ）台座ボックスの斜視図。（実施例２）  （ｃ）従来のドアチェーン錠の一例の斜視図
【図２】  （ａ）ドア面に裏面側をねじ８ａ、８ｂ、８ｃ、８ｄ留めした受座ボックスの正面図。上下を置き替えると台座ボックスの正面図となる。  （ｂ）ねじ８ａ、８ｂ、８ｃ、８ｄの直上にカバープレート５をねじ９ａ留めし、さらに、スライド穴の中間位置にフックを掛け止めしている時の受座ボックスの正面図。上下を置き替えると台座ボックスの正面図となる。  （ｃ）カバープレートを左上５ａか或いは右下５ｂに寄せ、さらに、スライド穴の中間位置にフックを掛け止めしている時の受座ボックスの正面図。上下を置き替えると台座ボックスの正面図となる。  （ｄ）外周サイズが、スライド穴の開口サイズより大きく、ボックス内部への抜き差しは、図２（ｅ）に示すように、斜めの角度で行う、カバープレート。  （ｅ）カバープレートのボックス内部への抜き差しの要領を示す、図２（ｂ）におけるＢ−Ｂ線断面図。ねじ９ｃは、把手用仮設ねじであり、また、フックが、スライド穴に掛け止めされていない時のものである。  （ｆ）ボックス内部の空間の形状を示す、図２（ｂ）におけるＡ−Ａ線断面図。  （ｇ）フック  （ｈ）台座ボックスのスライド穴に掛け止めされたフック６ａの落下防止用ねじ９ｄ。
【符号の説明】
【００１２】        １ａ    １ｂ    台座ボックス
２    受座ボックス
３ａ    ３ｂ    ３ｃ    スライド穴
４ａ    ４ｂ    ４ｃ    ４ｄ    掛け外し口
５    ５ａ    ５ｂ    カバープレート
６    ６ａ    ６ｂ    ６ｃ    ６ｄ    フック
７    チェーン
８ａ    ８ｂ    ８ｃ    ８ｄ    ねじ
９ａ    ９ｃ    ９ｄ    ９ｅ    ９ｆ    ねじ
１０ａ    １０ｂ    １０ｃ    １０ｄ    ねじ穴
１１    留め金
１２    受座
１３    壁
１４    ドア
ｔ    側面側の板厚
ｗ    ドアの半開幅
【図１】
2005180154.tif 000003
【図２】
2005180154.tif 000004